(57)【要約】      （修正有）【課題】フレキシブルプリント基板も含めてカメラモジュール全体を良好にシールド可能としたカメラモジュールを提供する。【解決手段】シールドケース１２は撮像部１１の周囲を四辺で取囲むサイドカバー部１３と、撮像部１１の上方に配置されるようサイドカバー部１３の端部に接続固定されるトップカバー部１４とから構成されている。サイドカバー部１３には舌片部１３ａが一体形成されており、サイドカバー部１３の内側に向けて折り曲げられている。折り曲げられたフレキシブルプリント基板２もシールドケース１２内に収容配置されており、フレキシブルプリント基板２の第５平面部２ｅには、グランドパターン部（不図示）が設けられており、シールドケース１２のサイドカバー部１３端部に設けられた舌片部１３ａが導電性接着剤等により接続固定されている。【選択図】図１
2007274624.tif 000002
【特許請求の範囲】
【請求項１】
少なくとも、
光学レンズと、当該光学レンズを内挿保持するレンズ枠と、前記光学レンズを通して結像する光学像を電気信号に変換して画像信号を出力する光電変換素子と、当該光電変換素子を搭載するフレキシブルプリント基板と、から成る撮像部と、
前記撮像部の周囲を覆って電磁遮蔽し、外部とグランド接続されるシールドケースと、
を備えるカメラモジュールであって、
前記フレキシブルプリント基板は、前記シールドケースの内壁に沿って収容配置されると共に、当該フレキシブルプリント基板に設けられたグランドパターン部が前記シールドケースに接続されて成ることを特徴とするカメラモジュール。
【請求項２】
前記シールドケースは、前記撮像部の側面周囲を取囲むようにして配置されるサイドカバー部と、当該サイドカバー部の上端部に配置固定されるトップカバー部とから成り、
前記サイドカバー部上端部には、前記撮像部を取囲んだ内側に向けて突出する舌片部が形成され、当該舌片部にフレキシブルプリント基板のグランドパターン部を接続固定したことを特徴とする請求項１に記載のカメラモジュール。
【請求項３】
前記舌片部に接続固定されるフレキシブルプリント基板が、前記舌片部と前記トップカバー部により挟持され固定されていることを特徴とする請求項２に記載のカメラモジュール。
【請求項４】
少なくとも、前記シールドケースの、前記フレキシブルプリント基板のグランドパターン部が接続される部位以外の内壁面が絶縁処理されていることを特徴とする請求項１、２又は３に記載のカメラモジュール。
【請求項５】
少なくとも、
光学レンズと、前記光学レンズを内挿保持するレンズ枠と、対向する透明基板間に液晶層を有する液晶レンズと、当該液晶レンズより導出され液晶駆動用の電子部品が搭載された第１のフレキシブルプリント基板と、前記光学レンズと前記液晶レンズを通して結像する光学像を電気信号に変換して画像信号を出力する光電変換素子と、当該光電変換素子が搭載された第２のフレキシブルプリント基板と、から成る撮像部と、
前記撮像部の周囲を覆って電磁遮蔽し、外部とグランド接続されるシールドケースと、
を備えるカメラモジュールであって、
前記第１と第２のフレキシブルプリント基板は、前記シールドケースの内壁に沿って収容配置されると共に、各々に設けられたグランドパターン部が前記シールドケースに接続されて成ることを特徴とするカメラモジュール。
【請求項６】
前記第１と第２のフレキシブルプリント基板が、前記シールドケース内で接続され、前記第１と第２のフレキシブルプリント基板の何れか一方に形成されたグランドパターン部が、前記シールドケースに接続されて成ることを特徴とする請求項５に記載のカメラモジュール。
【請求項７】
前記シールドケースは、前記撮像部の側面周囲を取囲むようにして配置されるサイドカバー部と、当該サイドカバー部の上端部に配置固定されるトップカバー部とから成り、
前記サイドカバー部上端部には、前記撮像部を取囲んだ内側に向けて突出する舌片部が形成され、当該舌片部に第１及び／又は第２のフレキシブルプリント基板のグランドパターン部を接続固定したことを特徴とする請求項５又は６に記載のカメラモジュール。
【請求項８】
前記舌片部に接続固定される第１及び／又は第２のフレキシブルプリント基板が、前記舌片部と前記トップカバー部により挟持され固定されていることを特徴とする請求項７に記載のカメラモジュール。
【請求項９】
少なくとも、前記シールドケースの、前記第１及び／又は第２のフレキシブルプリント基板のグランドパターン部が接続される部位以外の内壁面が絶縁処理されていることを特徴とする請求項５〜８の何れか１つに記載のカメラモジュール。
【発明の詳細な説明】
【技術分野】
【０００１】
本発明は、カメラモジュールに関する。
【背景技術】
【０００２】
近年、携帯電話機やＰＤＡ（Ｐｅｒｓｏｎａｌ  Ｄｉｇｉｔａｌ  Ａｓｓｉｓｔａｎｔｓ）等の携帯情報端末に組み込まれるカメラモジュールがある。このようなカメラモジュールは小型、軽量であることが望まれている。
【０００３】
前記カメラモジュールを携帯電話機や通信機能付きの携帯情報端末に組み込んだ場合、カメラモジュールから発生する不要輻射が携帯電話機や携帯情報端末の通信機能を阻害したり、あるいは、携帯電話機や携帯情報端末の通信に伴って発生する不要輻射がカメラモジュールの機能を阻害することとなる。
【０００４】
具体的には、アンテナとカメラモジュールが隣接すると、次のような問題点が生じてしまう。アンテナからのノイズがカメラモジュール（光電変換素子）に混入すると、画像信号が乱れてしまう。また、アンテナの近傍で、カメラモジュール（光電変換素子、あるいはディジタル信号プロセッサ）から電磁波が発生されると、アンテナの受信感度が下がってしまう。さらに、カメラモジュールからの電磁波が人体に与える影響も危惧される。
【０００５】
したがって、このような不要輻射を効果的に防止するため、カメラモジュールをシールドケースで電磁遮蔽することが必要となる。
【０００６】
シールド構造を有する従来のカメラモジュールの断面図を図９に示す。図９のカメラモジュールは、フレキシブルプリント基板３０に搭載された光電変換素子３１と、レンズ３２を保持したレンズ枠３３と、前記レンズ枠３３を搭載配置するレンズ枠ベース３４を有している。３０ａは、前記フレキシブルプリント基板３０の裏面側に配置された補強板である。そして、前記レンズ枠３３を搭載したレンズ枠ベース３４を、前記光電変換素子３１を覆うように配設して撮像部を構成している。さらに、前記撮像部を覆うように金属製のシールドケース３５を上方より被せて電磁遮蔽したものである。該構成によりシールド効果を得るものである。前記光電変換素子３１は、例えば、ＣＣＤセンサ、ＣＭＯＳセンサ等であり、場合によっては画像信号処理プロセッサチップ等の部品が、前記フレキシブルプリント基板３０上に搭載されることもある。３６は、レンズ３２を位置決めするための位置決め部材で、３７はＩＲカットフィルターである。前記フレキシブルプリント基板３０は前記シールドケース３５の外方に引き出された状態で外部接続されるものである。（特許文献１、２参照）
【特許文献１】特開２００３−３１８５８５号公報
【特許文献２】特開２００５−８６３４１号公報
【発明の開示】
【発明が解決しようとする課題】
【０００７】
ところで、前記光電変換素子が搭載されたフレキシブルプリント基板もノイズ源になるものであるが、このフレキシブルプリント基板も含めた構成でカメラモジュール全体をシールド可能とした構造については、特許文献１、２には開示されていない。
【０００８】
本発明の目的は、フレキシブルプリント基板も含めてカメラモジュール全体を良好にシールド可能としたカメラモジュールを提供することにある。
【課題を解決するための手段】
【０００９】
少なくとも、
光学レンズと、当該光学レンズを内挿保持するレンズ枠と、前記光学レンズを通して結像する光学像を電気信号に変換して画像信号を出力する光電変換素子と、当該光電変換素子を搭載するフレキシブルプリント基板と、から成る撮像部と、
前記撮像部の周囲を覆って電磁遮蔽し、外部とグランド接続されるシールドケースと、
を備えるカメラモジュールであって、
前記フレキシブルプリント基板は、前記シールドケースの内壁に沿って収容配置されると共に、当該フレキシブルプリント基板に設けられたグランドパターン部が前記シールドケースに接続されて成るカメラモジュールとする。
【００１０】
前記シールドケースは、前記撮像部の側面周囲を取囲むようにして配置されるサイドカバー部と、当該サイドカバー部の上端部に配置固定されるトップカバー部とから成り、
前記サイドカバー部上端部には、前記撮像部を取囲んだ内側に向けて突出する舌片部が形成され、当該舌片部にフレキシブルプリント基板のグランドパターン部を接続固定したカメラモジュールとする。
【００１１】
前記舌片部に接続固定されるフレキシブルプリント基板が、前記舌片部と前記トップカバー部により挟持され固定されているカメラモジュールとする。
【００１２】
少なくとも、前記シールドケースの、前記フレキシブルプリント基板のグランドパターン部が接続される部位以外の内壁面が絶縁処理されているカメラモジュールとする。
【００１３】
少なくとも、
光学レンズと、前記光学レンズを内挿保持するレンズ枠と、対向する透明基板間に液晶層を有する液晶レンズと、当該液晶レンズより導出され液晶駆動用の電子部品が搭載された第１のフレキシブルプリント基板と、前記光学レンズと前記液晶レンズを通して結像する光学像を電気信号に変換して画像信号を出力する光電変換素子と、当該光電変換素子が搭載された第２のフレキシブルプリント基板と、から成る撮像部と、
前記撮像部の周囲を覆って電磁遮蔽し、外部とグランド接続されるシールドケースと、
を備えるカメラモジュールであって、
前記第１と第２のフレキシブルプリント基板は、前記シールドケースの内壁に沿って収容配置されると共に、各々に設けられたグランドパターン部が前記シールドケースに接続されて成るカメラモジュールとする。
【００１４】
前記第１と第２のフレキシブルプリント基板が、前記シールドケース内で接続され、前記第１と第２のフレキシブルプリント基板の何れか一方に形成されたグランドパターン部が、前記シールドケースに接続されて成るカメラモジュールとする。
【００１５】
前記シールドケースは、前記撮像部の側面周囲を取囲むようにして配置されるサイドカバー部と、当該サイドカバー部の上端部に配置固定されるトップカバー部とから成り、
前記サイドカバー部上端部には、前記撮像部を取囲んだ内側に向けて突出する舌片部が形成され、当該舌片部に第１及び／又は第２のフレキシブルプリント基板のグランドパターン部を接続固定したカメラモジュールとする。
【００１６】
前記舌片部に接続固定される第１及び／又は第２のフレキシブルププリント基板が、前記舌片部と前記トップカバー部により挟持され固定されているカメラモジュールとする。
【００１７】
少なくとも、前記シールドケースの、前記第１及び／又は第２のフレキシブルプリント基板のグランドパターン部が接続される部位以外の内壁面が絶縁処理されているカメラモジュールとする。
【発明の効果】
【００１８】
フレキシブルプリント基板を含めた撮像部がシールドケース内に収納される構成としたので、カメラモジュール全体が良好にシールドされ、不要輻射による各部品への悪影響がなくなる。さらに前記フレキシブル基板のグランドパターン部が前記シールドケースに接続される構成であるため、グランド接続が確実になされる。
【００１９】
前記シールドケースを構成するサイドカバー部に舌片部を設けた構成としたので、前記フレキシブルプリント基板の接続が容易になる。
【００２０】
前記フレキシブルプリント基板を前記舌片部とトップカバー部で挟持したので、フレキシブルプリント基板の曲げ応力に起因する接着剥がれ等による接続不良を完全に防止できる。
【００２１】
シールドケースの、フレキシブルプリント基板のグランドパターン部を接続する部位以外の内壁面を絶縁処理したので、フレキシブルプリント基板に搭載された電子部品を固定した半田等がシールドケースに接触しても、ショート等による不具合を防止できる。
【発明を実施するための最良の形態】
【００２２】
光学レンズと、当該光学レンズを内挿保持するレンズ枠と、前記光学レンズを通して結像する光学像を電気信号に変換して画像信号を出力する光電変換素子と、当該光電変換素子を搭載するフレキシブルプリント基板と、から成る撮像部を、当該撮像部の周囲を電磁遮蔽するシールドケースで覆い、当該シールドケース内に前記フレキシブルプリント基板をも含めた状態で収容配置すると共に、前記フレキシブルプリント基板の各々に設けられたグランドパターン部を前記シールドケースに接続することで、カメラモジュール全体を良好にシールド可能とする。
【実施例１】
【００２３】
以下本発明の第１実施形態を図面に基づいて説明する。
図１は、本発明のカメラモジュールの分解斜視図である。図２は、本発明のカメラモジュールの上面図である（ただし、トップカバー部を除く）。図３は、本発明のカメラモジュールの断面図（図２のＡ−Ａ断面図）である。図４は、本発明のカメラモジュールの下面図である。
【００２４】
１は光電変換素子で、フレキシブルプリント基板２に搭載配置されている。当該光電変換素子１のフレキシブル基板２への実装は、フレキシブルプリント基板２に設けられた開口部３に光電変換素子１の受光面が対応するようにしてフリップチップ実装した構成である。尚、本発明のカメラモジュールは、前記フレキシブルプリント基板２が、複数箇所で折り曲げられ、複数の平面部を構成するものであり、前記開口部３及び前記光電変換素子１は、前記フレキシブルプリント基板２の第１平面部２ａに形成及び実装されたものである。また、図示してないが、前記フレキシブルプリント基板２上には、画像信号処理プロセッサチップ（ＤＳＰ、ＩＳＰ等）がさらに搭載されることもある。
【００２５】
前記フレキシブルプリント基板２には、図４に示すように信号入出力用端子４が裏面に集約され配列されている。当該信号入出力用端子４は、前記光電変換素子１の裏面側に折り曲げられたフレキシブルプリント基板２の第２平面部２ｂに設けられており、裏面部で外部と接続される構成である。
【００２６】
さらに、前記第２平面部２ｂから延在するフレキシブルプリント基板２は、上方に向け折り曲げられた第３平面部２ｃと、側方に向け折り曲げられた第４平面部２ｄと、下方に向け折り曲げられた第５平面部２ｅを有する構成となっている。当該フレキシブルプリント基板２にはグランドパターン配線（不図示）が施されており、フレキシブルプリント基板２の端部となる第５平面部２ｅにグランドパターン部（不図示）が設けられた構成である。
【００２７】
５は光電変換素子１を保持するための凹部５ａを有した基台で、前記折り曲げて構成するフレキシブルプリント基板２の第１平面部２ａと第２平面部２ｂの間に介在配置したものである。前記基台５は補強板としての役割を成すものである。
【００２８】
６は透光性部材で、搭載台７に固定されている。前記搭載台７は、前記フレキシブルプリント基板２の開口部３に対応させて枠状に形成されている。前記透光性部材６は、例えばＩＲカットフィルターである。
【００２９】
８はレンズ枠で、レンズ９を内挿保持している。本実施形態において示すレンズ９は４枚構成であるが、カメラモジュールに要求される光学特性レベルによって、適宜選択されるものであり、１枚構成、２枚構成、又は３枚構成とすることもある。また、レンズの材質はガラスやプラスチックが用いられ、複数枚構成の場合、それらが組み合わされて用いられることもある。
【００３０】
１０はレンズ枠ベースで、基台５及びフレキシブルプリント基板２の第１平面部２ａ上に、前記光電変換素子１と透光性部材６を覆うように搭載されている。当該レンズ枠ベース１０には、前記レンズ枠８を搭載する開口部１０ａが形成されており、当該開口部１０ａに前記レンズ枠８が挿入配置されて撮像部１１を構成している。尚、前記レンズ枠８と前記レンズ枠ベース１０を一体に形成することも可能である。
【００３１】
１２はシールドケースで、例えば、金属製の薄板で構成されたものである。当該シールドケース１２は前記撮像部１１の側面周囲を四辺で取囲むサイドカバー部１３と、前記撮像部１１の上方に配置されるよう前記サイドカバー部１３の端部に接続固定されるトップカバー部１４とから成るものである。前記サイドカバー部１３は、１枚の薄板を折り曲げることによって形成し、その端部同士をカシメ固定（接続）したものである。
【００３２】
前記サイドカバー部１３には舌片部１３ａが一体形成されており、前記サイドカバー部１３の内側に向けて折り曲げられた構成である。前記舌片部１３ａは前述のフレキシブルプリント基板２の第５平面部２ｅに設けられたグランドパターン部の接続個所と成るものである。１３ｂは前記トップカバー部１４の固定部である。
【００３３】
前記トップカバー部１４には、レンズ光軸に合わせて開口部１４ａが設けられている。当該開口部１４ａの両サイドに設けられた孔１４ｂは、前記サイドカバー部１３の固定部１３ｂに対応して設けられており、前記トップカバー部１４搭載後、前記孔１４ｂから接着剤を塗布し、前記サイドカバー部１３とトップカバー部１４を固定するものである。前記シールドケースは金属製に限定されるものではなく、導電性を有する部材であれば、他部材で構成しても良い。
【００３４】
前記構成のシールドケース１２を、撮像部１１を覆うようにして配置している。このとき、前記折り曲げられて構成されるフレキシブルプリント基板２も前記シールドケース１２内に収容配置される。さらに、前記フレキシブルプリント基板２の第５平面部２ｅには、グランドパターン部（不図示）が設けられており、前記シールドケース１２のサイドカバー部１３端部に設けられた舌片部１３ａに導電性接着剤等により接続固定されている。該構成によるカメラモジュールを、前記シールドケース１２の外壁面を介して外部とのグランド接続をなすようにすれば、シールド効果は向上し、信頼性が高く、高品質のカメラモジュールが得られる。
【００３５】
また、前記シールドケース１２のトップカバー部１４は、サイドカバー部１３に接続されるもので、図３に示すように、前記フレキシブルプリント基板２の第５平面部２ｅを前記舌片部１３ａとトップカバー部１４で挟み込む形態としたので、フレキシブルプリント基板２の曲げ応力による剥がれを防止することができる。また、前記のように挟み込む形態をとる場合、導電性接着剤の使用は必須でない。
【００３６】
また、前記フレキシブルプリント基板２のグランドパターン部が接続される舌片部１３ａ上の接続面を除き、前記シールドケース１２の内壁面が、絶縁処理された構成とする。該構成によれば、例えば、前記フレキシブルプリント基板２にＤＳＰ等の電子部品を搭載した場合、その固定に用いた半田等が前記シールドケース１２と接触してもショート等の不具合を生じさせることはない。
【００３７】
本実施形態では、フレキシブルプリント基板２のグランドパターン部の接続を、サイドカバー部１３に設けた舌片部１３ａを用いて行っているが、前記舌片部１３ａを構成せず、前記サイドカバー部１３内壁面に直接固定することも可能である。このような構成とした場合にも、グランドパターン部の接続部以外の内壁面を絶縁処理すると良い。
【００３８】
前記シールドケース１２の撮像部１１への固定構造については種々の手段が採用できるが、本実施形態ではピン１５による圧入固定を一例として示す。前記サイドカバー部１３には対向する２辺に２つずつの貫通孔１３ｃが設けられている（図１の図面上、一部は隠れている）。前記レンズ枠ベース１０にも前記貫通孔１３ｃに対応する位置に孔１０ｂが設けられている（図１の図面上、一部は隠れている）。前記サイドカバー部１３を配置したとき、前記貫通孔１３ｃと孔１０ｂの孔位置を合わせた状態でピン１５を圧入することでそれぞれを固定している。
【００３９】
また、前記レンズ枠８と前記レンズ枠ベース１０を導電性樹脂で構成すれば、なお効果的なシールド構造が得られる。当該構成に加え、金属製のピン１５による圧入固定を採用すれば、前記サイドカバー部１３の内壁面を絶縁処理していても、前記ピン１５が孔１０ａに圧入されレンズ枠ベース１０と電気的に接触した状態となる。そして、前記ピン１５はサイドカバー部１３の貫通孔１３ｃに露出するので、前記露出するピン１５の先端部を介して外部とのグランド接続が可能となる。
【００４０】
前記したシールドケース１２は、その外壁面を絶縁処理しても良い。その場合、外部とグランド接続する部位を除いて絶縁処理すれば良い。例えば、図１に示す点線枠１３ｄ内をグランド接続部とした場合は、それ以外のシールドケース１２の外周面はすべて絶縁処理する。
【実施例２】
【００４１】
以下本発明の第２実施形態を図面に基づいて説明する。尚、本実施形態は、液晶レンズを搭載したタイプのカメラモジュールである。
図５は、本発明のカメラモジュールの分解斜視図である。図６は、本発明のカメラモジュールの断面図である。図７は、液晶レンズユニットの構成を示す上面図である。
尚、第１実施形態に示した部材と共通する部材については同一の符号を用いることとする。
【００４２】
１は光電変換素子で、第２のフレキシブルプリント基板１６に搭載配置されている。当該光電変換素子１の第２のフレキシブルプリント基板１６への実装形態は、第１実施形態と同様であるため詳細説明は省略する。尚、前記第２のフレキシブルプリント基板１６の構成も、第１実施形態と同様であるが、後述する液晶レンズのフレキシブルプリント基板と区別するため、第２のフレキシブルプリント基板とし、符号も替えて説明する。また、前記第２のフレキシブルプリント基板１６は、折り曲げて構成される点、第１平面部１６ａ、第２平面部１６ｂ、第３平面部１６ｃ、第４平面部１６ｄ、第５平面部１６ｅを有する点においても同様である。
【００４３】
８ａはレンズ枠で、レンズ９を内挿保持するものである。１０はレンズ枠８ａを搭載するレンズ枠ベースである。また、１２はシールドケースで、サイドカバー部１３及びトップカバー部１４から成るものである。以上は第１実施形態と同じ構成である。
【００４４】
本実施形態においては、前記構成に液晶レンズユニット１７を加えカメラモジュールを構成したものである。１８は液晶パネルで、少なくとも２枚の透明基板間に液晶を挟持して構成されたものである。当該液晶パネル１８には、第１のフレキシブルプリント基板１９が接続されている（図７参照）。前記第１のフレキシブルプリント基板１９上には、前記図示しない液晶を駆動するための電子部品２０が実装され、前記サイドカバー部１３の内壁面に沿うよう折り曲げて構成されている。当該構成による液晶レンズユニット１７は、液晶レンズユニット搭載ベース２１に搭載され、該液晶レンズユニット搭載ベース２１がレンズ枠８ａの上方に配置される構成である。前記液晶レンズユニット１７、前記液晶レンズユニット搭載ベース２１、前記レンズ枠８ａ、前記レンズ枠ベース１０、前記光電変換素子１を実装した第２のフレキシブルプリント基板１６で撮像部２２を構成している。
【００４５】
図６に示すように、撮像部２２はシールドケース１２内に収容されており、前記第２のフレキシブルプリント基板１６は、第５平面部１６ｅにグランドパターン部を有しており、前記サイドカバー部１３の舌片部１３ａに接続されている。尚、第３平面部１６ｃと、前記液晶レンズユニット１７の第１のフレキシブルプリント基板１９とは、互いに重なり合う重畳部２３で接続される構成である。
【００４６】
図８は第１のフレキシブルプリント基板と第２のフレキシブルプリント基板の接続を説明する部分斜視図である。第１のフレキシブルプリント基板１９には接続パターン１９ａが設けられている。第２のフレキシブルプリント基板１６には、前記接続パターン１９ａの各々に対応する貫通孔で構成された接続パターン１６ｆが設けられており、前記接続パターン１９ａと前記接続パターン１６ｆを対応配置して各々を半田接合している。尚、半田接合により接続する配線はグランド接続するための配線と、信号入出力用の配線（いずれも不図示）であり、前記第１のフレキシブルプリント基板１９のグランド接続配線は前記第２のフレキシブルプリント基板１６のグランドパターン部を介して前記舌片部１３ａに接続される構成である。
【００４７】
本実施形態においても、グランドパターン部の接続は、サイドカバー部１２の内壁面に直接接続する構成としても良い。
【００４８】
また、前記第１のフレキシブルプリント基板１９のグランド接続配線は、前記第２のフレキシブルプリント基板１６を介さず直接舌片部１３ａに直接接続する形態とすることも可能である。
【００４９】
また、前記第１のフレキシブルプリント基板１９に舌片部１３ａと接続するグランドパターン部を設けておき、第２のフレキシブルプリント基板１６のグランド接続を前記第１のフレキシブルプリント基板１９を介して行う構成であっても良い。
【００５０】
該構成によるカメラモジュールを、前記シールドケース１２の外壁面を介して外部とのグランド接続をなすようにすれば、シールド効果は向上し、信頼性が高く、高品質なカメラモジュールが得られる。
【００５１】
また、前記第２のフレキシブルプリント基板１６の第５平面部１６ｅを前記舌片部１３ａとトップカバー部１４で挟み込む形態、前記シールドケース１２の内壁面を絶縁処理する形態、サイドカバー部１３のレンズ枠ベース１０への固定構造については、第１実施形態において説明した構成をそれぞれ採用でき、該構成とすれば、第１実施形態同様の効果が得られるものである。
【図面の簡単な説明】
【００５２】
【図１】本発明のカメラモジュールの分解斜視図。
【図２】本発明のカメラモジュールの上面図。
【図３】本発明のカメラモジュールの断面図。
【図４】本発明のカメラモジュールの下面図。
【図５】本発明のカメラモジュールの分解斜視図。
【図６】本発明のカメラモジュールの断面図。
【図７】液晶レンズユニットの構成を示す上面図。
【図８】第１のフレキシブルプリント基板と第２のフレキシブルプリント基板の接続を説明する図。
【図９】シールド構造を有する従来のカメラモジュールの断面図。
【符号の説明】
【００５３】
１    光電変換素子
２    フレキシブルプリント基板
２ａ  第１平面部
２ｂ  第２平面部
２ｃ  第３平面部
２ｄ  第４平面部
２ｅ  第５平面部
３    開口部
４    信号入出力用端子
５    基台
５ａ  凹部
６    透光性部材
７    搭載台
８    レンズ枠
８ａ  レンズ枠
９    レンズ
１０    レンズ枠ベース
１０ａ  開口部
１１    撮像部
１２    シールドケース
１３    サイドカバー部
１３ａ  舌片部
１３ｂ  固定部
１３ｃ  貫通孔
１３ｄ  点線枠
１４    トップカバー部
１４ａ  開口部
１４ｂ  孔
１５    ピン
１６    第２のフレキシブルプリント基板
１６ａ  第１平面部
１６ｂ  第２平面部
１６ｃ  第３平面部
１６ｄ  第４平面部
１６ｅ  第５平面部
１６ｆ  接続パターン
１７    液晶レンズユニット
１８    液晶パネル
１９    第１のフレキシブルプリント基板
１９ａ  接続パターン
２０    電子部品
２１    液晶レンズユニット搭載ベース
２２    撮像部
３０    フレキシブルプリント基板
３０ａ  補強板
３１    光電変換素子
３２    レンズ
３３    レンズ枠
３４    レンズ枠ベース
３５    シールドケース
３６    位置決め部材
３７    ＩＲカットフィルター
【図１】
2007274624.tif 000003
【図２】
2007274624.tif 000004
【図３】
2007274624.tif 000005
【図４】
2007274624.tif 000006
【図５】
2007274624.tif 000007
【図６】
2007274624.tif 000008
【図７】
2007274624.tif 000009
【図８】
2007274624.tif 000010
【図９】
2007274624.tif 000011